(57)【要約】【課題】後胴周り域に潰れ難いポケットを形成し、障壁やポケットにおいて排泄物を吸収することができ、後端部からの排泄物の漏れを防ぐことができる使い捨て着用物品を提供する。【解決手段】使い捨て着用物品１０Ａでは、コア２０が延びる後胴周り域１６の部位２１が第１部位２２と第２部位２３とに区分され、第２部位２３の中央部分２４にコア２０を貫通する貫通孔２５が形成され、第２部位２３に位置するコア２０の横方向の曲げ剛性が股下域１５と第１部位２２とに位置するコア２０の横方向のそれよりも低く、防漏シート１９の固定端部３４と弾性部材３６の縦方向端部３７とが第１部位２２上に位置している。物品１０Ａでは、第１部位２２が股下域１５よりも物品１０Ａの厚み方向上方に位置し、第２部位２３が障壁４８とポケット４９とを形成している。【選択図】図１
2005161006.tif 000002
【特許請求の範囲】
【請求項１】
横方向へ延びる前後端部と、縦方向へ延びる両側部とを有し、前記前後端部間に前胴周り域および後胴周り域と、それら胴周り域の間に位置する股下域とが画成され、透液性表面シートおよび不透液性裏面シートと、前記両側部に位置して縦方向へ延びる一対の不透液性第１防漏シートと、前記表裏面シートの間に介在して前記前後端部間に延びる吸液性コアとから構成され、前記第１防漏シートが、前記前後端部間に位置して縦方向へ延びる固定側部と、前記固定側部に並行して縦方向へ延びていて前記表面シートの上方へ起立性向を有する自由部と、前記前後端部に位置して横方向へ倒伏した固定両端部とから形成され、縦方向へ延びる伸縮性第１弾性部材が、前記第１防漏シートの自由部に収縮可能に取り付けられた使い捨て着用物品において、
前記コアが延びる前記後胴周り域の部位が、前記後端部の側に位置する第１部位と、前記股下域の側に位置する第２部位とに区分され、前記第２部位に位置する前記コアの横方向の曲げ剛性が、前記股下域と前記第１部位とに位置する前記コアの横方向のそれよりも低く、前記第１防漏シートの固定端部と前記第１弾性部材の縦方向端部とが、前記後胴周り域の第１部位上に位置し、
前記第１部位が、前記第１弾性部材の収縮力によって前記股下域の側へ引き寄せられて該股下域よりも前記物品の厚み方向上方に位置し、前記第２部位が、前記物品の厚み方向へ延びる障壁と前記股下域と向かい合うポケットとのうちの少なくとも一方を形成していることを特徴とする前記物品。
【請求項２】
前記コアをその厚み方向へ貫通する貫通孔が、前記第２部位の横方向中央部分に形成されている請求項１記載の物品。
【請求項３】
前記コアを切り欠いた横方向内方へ凹む一対のノッチが、前記第２部位の横方向両側部分に形成されている請求項１記載の物品。
【請求項４】
前記コアの坪量と密度と厚み寸法とが、前記股下域と前記第１および第２部位とにおいて同一である請求項２または請求項３に記載の物品。
【請求項５】
前記物品が、前記後胴周り域に位置して横方向へ延びる不透液性第２防漏シートを有し、前記第２防漏シートが、前記後胴周り域の第１部位に位置して横方向へ延びる固定端部と、前記固定端部に並行して横方向へ延びていて前記後胴周り域の第１部位から第２部位に達する自由部と、前記物品の両側部の側に位置して縦方向内方へ倒伏した固定両側部とから形成され、横方向へ延びる伸縮性第２弾性部材が、前記第２防漏シートの自由部に収縮可能に取り付けられている請求項１ないし請求項４いずれかに記載の物品。
【請求項６】
前記第２防漏シートが、第１防漏シートの間に配置され、前記第２防漏シートの自由部の横方向両側部分が、前記第１防漏シートの自由部に固着されている請求項５記載の物品。
【請求項７】
前記股下域と前記第１部位とに位置する前記コアのガーレ法に準拠した横方向の曲げ剛性値が、９．４〜２８．２ｍＮの範囲、前記第２部位に位置する前記コアのガーレ法に準拠した横方向の曲げ剛性値が、５．５〜１６．５ｍＮの範囲にある請求項１ないし請求項６いずれかに記載の物品。
【請求項８】
前記第１弾性部材を含む前記第１防漏シートの自由部の９０％伸長時における伸長応力が、０．０２〜０．３２Ｎの範囲にある請求項１ないし請求項７いずれかに記載の物品。
【発明の詳細な説明】
【技術分野】
【０００１】
本発明は、排泄物を吸収、保持する使い捨て着用物品に関する。
【背景技術】
【０００２】
横方向へ延びる前後端部と、縦方向へ延びる両側部とを有し、前後端部間に前胴周り域および後胴周り域と、それら胴周り域の間に位置する股下域とが画成され、透液性表面シートおよび不透液性裏面シートと、縦方向へ延びる伸縮性弾性部材が収縮可能に取り付けられて表面シートの上方へ起立性向を有する一対の不透液性防漏シートと、表裏面シートの間に介在して前胴周り域および股下域に延びる吸液性コアとから構成され、後胴周り域が、後端部の側に位置する第１部位と、股下域の側に位置する第２部位とに区分され、第２部位の剛性が、第１部位と股下域とのそれよりも低く、防漏シートの固定端部と弾性部材の縦方向端部とが、後胴周り域の第１部位上に位置する使い捨て着用物品がある（特許文献１参照）。
【０００３】
第１部位は、表裏面シートとそれらシートの間に介在する帯状の胴周り用弾性部材とから形成されている。第２部位は、表面シートと裏面シートとから形成されている。防漏シートの固定端部は、第１部位に延びる表面シートの外面に固着されている。この物品は、防漏シートに取り付けられた弾性部材の収縮力によって第１部位が股下域の側へ引き寄せられ、第１部位が股下域よりも物品の厚み方向上方に位置することで股下域と第１部位との間に段差が生じ、第２部位が股下域に向かって開口するポケットを形成している。この物品は、排泄物が表面シート上を拡散し、後端部に向かって流動したとしても、排泄物がポケットに収容されるので、後端部からの排泄物の漏れを防ぐことができる。
【特許文献１】特開２００１−６１８８８号公報
【発明の開示】
【発明が解決しようとする課題】
【０００４】
特許文献１に開示の物品では、その着用中に後胴周り域に着用者の体圧がかかると、ポケットが容易に潰れて排泄物がポケットから漏れ出し、排泄物が第１部位を乗り越えて後端部から物品の外側へ漏れてしまう場合がある。また、この物品は、第１部位と第２部位とにコアが存在しないので、第１部位とポケットを形成する第２部位とにおいて排泄物を吸収することができず、排泄物がポケットに残存し、ポケットが潰れると、排泄物がポケットの外側へ容易に漏れ出してしまう。
【０００５】
本発明の目的は、後胴周り域に潰れ難いポケットを形成し、障壁やポケットにおいて排泄物を吸収することができ、後端部からの排泄物の漏れを確実に防ぐことができる使い捨て着用物品を提供することにある。
【課題を解決するための手段】
【０００６】
前記課題を解決するための本発明の前提は、横方向へ延びる前後端部と、縦方向へ延びる両側部とを有し、前後端部間に前胴周り域および後胴周り域と、それら胴周り域の間に位置する股下域とが画成され、透液性表面シートおよび不透液性裏面シートと、両側部に位置して縦方向へ延びる一対の不透液性第１防漏シートと、表裏面シートの間に介在して前後端部間に延びる吸液性コアとから構成され、第１防漏シートが、前後端部間に位置して縦方向へ延びる固定側部と、固定側部に並行して縦方向へ延びていて表面シートの上方へ起立性向を有する自由部と、前後端部に位置して横方向へ倒伏した固定両端部とから形成され、縦方向へ延びる伸縮性第１弾性部材が第１防漏シートの自由部に収縮可能に取り付けられた使い捨て着用物品である。
【０００７】
前記前提における本発明の特徴は、コアが延びる後胴周り域の部位が、後端部の側に位置する第１部位と、股下域の側に位置する第２部位とに区分され、第２部位に位置するコアの横方向の曲げ剛性が股下域と第１部位とに位置するコアの横方向のそれよりも低く、第１防漏シートの固定端部と弾性部材の縦方向端部とが後胴周り域の第１部位上に位置していることにある。この物品では、第１防漏シートに取り付けられた第１弾性部材の収縮力によって後胴周り域の第１部位が股下域の側へ引き寄せられ、第１部位が股下域よりも物品の厚み方向上方に位置することで股下域と第１部位との間に段差が生じ、後胴周り域の第２部位が物品の厚み方向へ延びる障壁と股下域と向かい合うポケットとのうちの少なくとも一方を形成する。
【０００８】
本発明は、以下の実施態様を有する。
（１）本発明の実施態様の一例は、コアをその厚み方向へ貫通する貫通孔が第２部位の横方向中央部分に形成されている。この態様の物品は、第２部位の横方向中央部分にコアを貫通する貫通孔が形成され、横方向中央部分にコアが存在しないので、第２部位に位置するコアの横方向の曲げ剛性が股下域と第１部位とに位置するコアの横方向のそれよりも低くなる。
（２）本発明の実施態様の他の一例は、コアを切り欠いた横方向内方へ凹む一対のノッチが第２部位の横方向両側部分に形成されている。この態様の物品は、第２部位の横方向両側部分にコアを切り欠いたノッチが形成され、横方向両側部分にコアが存在しないので、第２部位におけるコアの横方向の曲げ剛性が股下域と第１部位とに位置するコアの横方向のそれよりも低くなる。
（３）本発明の実施態様の他の一例は、コアの坪量と密度と厚み寸法とが股下域と第１および第２部位とにおいて同一である。
（４）本発明の実施態様の他の一例は、物品が前記後胴周り域に位置して横方向へ延びる不透液性第２防漏シートを有し、第２防漏シートが、後胴周り域の第１部位に位置して横方向へ延びる固定端部と、固定端部に並行して横方向へ延びていて後胴周り域の第１部位から第２部位に達する自由部と、物品の両側部の側に位置して縦方向内方へ倒伏した固定両側部とから形成され、横方向へ延びる伸縮性第２弾性部材が第２防漏シートの自由部に収縮可能に取り付けられている。
（５）本発明の実施態様の他の一例は、第２防漏シートが第１防漏シートの間に配置され、第２防漏シートの自由部の横方向両側部分が第１防漏シートの自由部に固着されている。
（６）本発明の実施態様の他の一例は、股下域と第１部位とに位置するコアのガーレ法に準拠した横方向の曲げ剛性値が９．４〜２８．２ｍＮの範囲にあり、第２部位に位置するコアのガーレ法に準拠した横方向の曲げ剛性値が５．５〜１６．５ｍＮの範囲にある。
（７）本発明の実施態様の他の一例は、第１弾性部材を含む第１防漏シートの自由部の９０％伸長時における伸長応力が０．０２〜０．３２Ｎの範囲にある。
【発明の効果】
【０００９】
本発明に係る使い捨て着用物品によれば、第１防漏シートに取り付けられた第１弾性部材の収縮力によって後胴周り域の第２部位が部分的に折れ曲がり、後胴周り域の第１部位が股下域の側へ引き寄せられ、第１部位が股下域よりも物品の厚み方向上方に位置することで股下域と第１部位との間に段差が生じ、第２部位が物品の厚み方向へ延びる障壁と股下域と向かい合うポケットとのうちの少なくとも一方を形成する。この物品は、第２部位が障壁を形成すると、物品の着用中に排泄された排泄物が表面シート上を拡散して後端部に向かって流動したとしても、排泄物の流動が第２部位によって阻止されるので、排泄物が第１部位を乗り越えることはなく、後端部からの排泄物の漏れを防ぐことができる。この物品は、第２部位がポケットを形成すると、物品の着用中に排泄された排泄物が表面シート上を拡散して後端部に向かって流動したとしても、排泄物がポケットに収容されるので、排泄物が第１部位を乗り越えることはなく、後端部からの排泄物の漏れを防ぐことができる。この物品は、第１および第２部位に位置するコアが排泄物を吸収し、障壁やポケットに排泄物が残存することはなく、排泄物がポケットから漏れ出すことがない。
【００１０】
コアをその厚み方向へ貫通する貫通孔が第２部位の横方向中央部分に形成された物品では、第２部位の横方向両側部分と横方向中央部分とにコアの厚み寸法に比例する段差が形成され、物品の着用中に後胴周り域に着用者の体圧がかかり、第２部位が物品の厚み方向へ圧縮されたとしても、第２部位の横方向中央部分が重なり合う以前にコアが存在する第２部位の横方向両側部分が重なり合い、横方向両側部分に位置するコアの厚みによって横方向中央部分の重なりが防止される。この物品は、第２部位の横方向両側部分においてポケットが潰れたとしても、第２部位の横方向中央部分においてポケットが潰れることはなく、横方向中央部分におけるポケットの開口状態が維持される。この物品は、後胴周り域に着用者の体圧がかかったとしても、ポケット全体が潰れることはなく、排泄物がポケットから漏れ出すことがないので、排泄物が後端部から物品の外側へ漏れてしまうことはない。この物品は、第１部位と第２部位の横方向両側部分とに位置するコアが排泄物を吸収するので、障壁やポケットに排泄物が残存することはない。
【００１１】
コアを切り欠いた横方向内方へ凹むノッチが第２部位の横方向両側部分に形成された物品では、第２部位の横方向両側部分と横方向中央部分とにコアの厚み寸法に比例する段差が形成され、物品の着用中に後胴周り域に着用者の体圧がかかり、第２部位が物品の厚み方向へ圧縮されたとしても、第２部位の横方向両側部分が重なり合う以前にコアが存在する第２部位の横方向中央部分が重なり合い、横方向中央部分に位置するコアの厚みによって横方向両側部分の重なりが防止される。この物品は、第２部位の横方向中央部分においてポケットが潰れたとしても、第２部位の横方向両側部分においてポケットが潰れることはなく、横方向両側部分におけるポケットの開口状態が維持される。この物品は、後胴周り域に着用者の体圧がかかったとしても、ポケット全体が潰れることはなく、排泄物がポケットから漏れ出すことがないので、排泄物が後端部から物品の外側へ漏れてしまうことはない。この物品は、第１部位と第２部位の横方向中央部分とに位置するコアが排泄物を吸収するので、障壁やポケットに排泄物が残存することはない。
【００１２】
コアの坪量と密度と厚み寸法とが第１および第２部位と股下域とにおいて同一であってコアに貫通孔やノッチが形成された物品では、第１防漏シートに取り付けられた第１弾性部材が収縮したとしても、第１部位と股下域とに位置するコアが不規則に折れ曲がることはなく、第２部位においてコアを確実に折り曲げることができ、第１部位を股下域の側へ確実に引き寄せることができる。また、この物品は、コアが局所的に嵩張ることはなく、コアの剛性が局所的に増加することによる物品の着用感の低下を防ぐことができる。
【００１３】
後胴周り域に位置して横方向へ延びる不透液性第２防漏シートを有する物品は、第２防漏シートの自由部が排泄物に対する障壁を形成するので、物品の着用中に排泄された排泄物が第２部位から形成された障壁を乗り越えて第１部位に達したとしても、排泄物の流動が第２防漏シートの自由部によって阻止され、後端部からの排泄物の漏れを確実に防ぐことができる。
【００１４】
第２防漏シートが第１防漏シートの間に配置され、第２防漏シートの自由部の横方向両側部分が第１防漏シートの自由部に固着された物品は、第１防漏シートの自由部の起立にともなって第２防漏シートの自由部が表面シートの上方へ浮き上がるので、第２防漏シートの自由部が障壁として十分に機能し、後端部からの排泄物の漏れを確実に防ぐことができる。
【００１５】
股下域と第１部位とに位置するコアのガーレ法に準拠した横方向の曲げ剛性値が９．４〜２８．２ｍＮの範囲にあり、第２部位に位置するコアのガーレ法に準拠した横方向の曲げ剛性値が５．５〜１６．５ｍＮの範囲にある物品は、第１弾性部材の収縮力によってコアが第２部位のみで折れ曲がり、コアが第１部位と股下域とにおいて不規則に折れ曲がることはなく、第１部位を股下域の側へ確実に引き寄せることができ、第２部位によって障壁やポケットを確実に形成することができる。
【００１６】
第１弾性部材を含む第１防漏シートの自由部の９０％伸長時における伸長応力が０．０２〜０．３２Ｎの範囲にある物品は、第１弾性部材の収縮力が第１部位に十分に作用し、弾性部材の収縮力によって第１部位を股下域の側へ確実に引き寄せることができ、第２部位によって障壁やポケットを確実に形成することができる。
【発明を実施するための最良の形態】
【００１７】
添付の図面を参照し、本発明に係る使い捨て着用物品の詳細を説明すると、以下のとおりである。
【００１８】
図１，２は、一例として示す使い捨て着用物品１０Ａの部分破断斜視図と、表面シート１７の側から示す図１の物品１０Ａの平面図とである。図１では、横方向を矢印Ｌ、縦方向を矢印Ｍで示し、厚み方向を矢印Ｎで示す。図２は、物品１０Ａを弾性部材３６，４０，４３の収縮力に抗して縦横方向へ展開させた状態で示している。図３，４は、図１の３−３線矢視断面図と、図１の４−４線矢視断面図とであり、図５は、図１の５−５線端面図である。なお、表裏面シート１７，１８や防漏シート１９の内面とは、コア２０に対向する面をいい、それらシート１７，１８，１９の外面とは、コア２０に非対向の面をいう。
【００１９】
物品１０Ａは、互いに並行して横方向へ延びる前後端部１１，１２と、縦方向へ延びる両側部１３とを有する。前後端部１１，１２間には、縦方向へ並ぶ前胴周り域１４および後胴周り域１６と、それら胴周り域１４，１６の間に位置する股下域１５とが画成されている。物品１０Ａは、肌当接側に位置する透液性表面シート１７と、肌非当接側に位置する不透液性裏面シート１８と、両側部１３に位置して縦方向へ延びる一対の不透液性第１防漏シート１９と、表裏面シート１７，１８の間に介在してそれらシート１７，１８の内面に接合された吸液性コア２０とから構成されている。コア２０は、前後胴周り域１４，１６と股下域１５とに延びている。股下域１５の両側部１３は、物品１０Ａの横方向内方へ向かって弧を画いている。物品１０Ａは、その平面形状が砂時計型を呈する。
【００２０】
コア２０が延びる後胴周り域１６の部位２１は、後端部１２の側に位置する第１部位２２と、股下域１５の側に位置する第２部位２３とに区分されている。第２部位２３の横方向中央部２４には、コア２０をその厚み方向へ貫通する貫通孔２５が形成されている。貫通孔２５では、表面シート１７と裏面シート１８とが互いに重なり合った状態でそれらシート１７，１８の内面どうしが固着されている。
【００２１】
表面シート１７は、親水性繊維不織布２６から形成されている。裏面シート１８は、疎水性繊維不織布２７と通気不透液性プラスチックフィルム２８とをラミネートした複合シートから形成されている。防漏シート１９は、撥水処理が施された疎水性繊維不織布２９から形成されている。
【００２２】
コア２０は、横方向へ延びる両端縁３０と、縦方向へ延びる両側縁３１とを有する。コア２０は、粒子状または繊維状の高吸収性ポリマーとフラッフパルプとの混合物、または、粒子状または繊維状の高吸収性ポリマーとフラッフパルプと熱可塑性合成樹脂繊維との混合物であり、所定の厚み寸法に圧縮されている。ゆえに、コア２０は、その剛性が表裏面シート１７，１８や防漏シート１９の剛性よりも高い。コア２０は、それの型崩れを防止するため、全体がティッシュペーパーや親水性繊維不織布等の透液性シート（図示せず）に包被されていることが好ましい。
【００２３】
股下域１５と第１および第２部位２２，２３とに位置するコア２０は、その坪量と密度と厚み寸法とが同一である。第２部位２３に位置するコア２０の横方向の長さ寸法（貫通孔２５を含む）は、股下域１５と第１部位２２とに位置するコア２０の横方向のそれと同一である。コア２０の厚み寸法は、１〜１０ｍｍの範囲にあることが好ましい。コア２０は、股下域１５や第１および第２部位２２，２３における坪量と密度と厚み寸法とが同一であるにもかかわらず、第２部位２３の横方向中央部分２４にコア２０を貫通する貫通孔２５が形成され、横方向中央部分２４にコア２０が存在しないので、第２部位２３に位置するコア２０の横方向の曲げ剛性が股下域１５と第１部位２２とに位置するコア２０の横方向の曲げ剛性よりも低い。
【００２４】
防漏シート１９は、肌当接側であって表面シート１７の外面の側に配置されている。防漏シート１９は、両側部１３に位置して縦方向へ延びる固定側部３２と、固定側部３２に並行して縦方向へ延びていて表面シート１７の上方へ起立性向を有する自由部３３と、前後端部１１，１２に位置して物品１０Ａの横方向内方へ倒伏した固定両端部３４とから形成されている。固定側部３２と自由部３３とは、物品１０Ａの前後端部１１，１２間に延びている。後胴周り域１６の側に位置する固定端部３４は、後端部１２のみならず、第１部位２２の横方向両側部分３５上に位置している。
【００２５】
自由部３３の上方には、縦方向へ延びる伸縮性第１弾性部材３６が収縮可能に取り付けられている。弾性部材３６は、縦方向へ所定の倍率に伸長された状態で自由部３３に固着されている。後胴周り域１６の側に延びる弾性部材３６の縦方向端部３７は、第２部位２３を越えて第１部位２２の横方向両側部分３５上に達している。物品１０Ａが表面シート１７を内側にして縦方向へ湾曲すると、弾性部材３６が収縮して自由部３３が縦方向へ縮み、自由部３３が表面シート１７の上方へ起立する。図１では、防漏シート１９の自由部３３が表面シート１７の上方へ起立して排泄物に対する障壁を形成している。
【００２６】
前後端部１１，１２は、コア２０の端縁３０から縦方向外方へ延びる表裏面シート１７，１８の端部３８，３９と防漏シート１９の固定両端部３４とから形成されている。前後端部１１，１２では、表裏面シート１７，１８の端部３８，３９と防漏シート１９の端部３４とが重なり合い、表裏面シート１７，１８の内面どうしが固着され、表面シート１７の外面と防漏シート１９の内面とが固着されている。後胴周り域１６の側に位置する防漏シート１９の固定端部３４は、第１部位２２の横方向両側部分３５においてその内面が表面シート１７の外面に固着されている。前後端部１１，１２には、コア１０の端縁３０の縦方向外方に位置して横方向へ延びる帯状の胴周り用弾性部材４０が収縮可能に取り付けられている。胴周り用弾性部材４０は、表面シート１７の端部３８と裏面シート１８の端部３９と間に介在し、横方向へ所定の倍率に伸長させた状態でそれらシート１７，１８の内面に固着されている。
【００２７】
両側部１３は、コア２０の側縁３１から横方向外方へ延びる表裏面シート１７，１８の側部４１，４２と防漏シート１９の固定側部３２とから形成されている。両側部１３では、表面シート１７の側部４１がコア２０の側縁３１から横方向外方へわずかに延び、側部４１からさらに横方向外方へ裏面シート１８の側部４２と防漏シート１９の側部３２とが延びている。両側部１３では、表裏面シート１７，１８の側部４１，４２と防漏シート１９の側部３２とが重なり合い、表裏面シート１７，１８の内面どうしが固着され、表裏面シート１７，１８の内外面と防漏シート１９の内面とが固着されている。両側部１３には、コア２０の側縁３１の横方向外方に位置して縦方向へ延びる複数条の脚周り用弾性部材４３が収縮可能に取り付けられている。脚周り用弾性部材４３は、表面シート１７の側部４１と裏面シート１８の側部４２との間に介在し、横方向へ所定の倍率に伸長させた状態でそれらシート１７，１８の内面に固着されている。
【００２８】
後胴周り域１６の両側部１３には、繊維不織布から形成された可撓性のテープファスナ４４が取り付けられている。テープファスナ４４は、横方向へ延びる固定端部４５と自由端部４６とを有する。固定端部４５は、裏面シート１８の側部４２と防漏シート１９の固定側部３２との間に介在し、それらシート１８，１０の内面に固着されている。自由端部４６の内面には、フック部材（図示せず）が取り付けられている。自由端部４６は、物品１０Ａの横方向内方へ向かって折曲され、フック部材を介して防漏シート１９の側部３２外面に着脱可能に仮止めされている。なお、自由端部４６には、フック部材ではなく、粘着剤が塗布されていてもよい。
【００２９】
前胴周り域１４には、テープファスナ４４の自由端部４６を着脱可能に止着する可撓性のターゲットテープ４７が取り付けられている。ターゲットテープ４７は、横長矩形を呈し、プラスチックフィルムと、フィルムに取り付けられたループ部材（図示せず）とから形成されている。ターゲットテープ４７は、それを形成するフィルムが裏面シート１８の外面に固着されている。テープファスナ４４の自由端部４６に粘着剤を塗布する場合は、ターゲットテープ４７にプラスチックフィルムが使用される。
【００３０】
物品１０Ａを着用するには、後胴周り域１６の両側部１３を前胴周り域１４の両側部１３の外側に重ね合わせ、フック部材を介してテープファスナ４４の自由端部４６をターゲットテープ４７に止着して前胴周り域１４と後胴周り域１６とを連結する。前後胴周り域１４，１６が連結された物品１０Ａには、胴周り開口とその下方に一対の脚周り開口とが形成される（図示せず）。
【００３１】
物品１０Ａは、防漏シート１９に取り付けられた弾性部材３６の収縮力によって後胴周り域１６の第２部位２３が部分的に折れ曲がり、第１部位２２が股下域１５の側へ引き寄せられ、第１部位２２が股下域１５よりも物品１０Ａの厚み方向上方に位置している。物品１０Ａでは、股下域１５と第１部位２２との間に第２部位２３を挟んで厚み方向へ段差が生じ、第２部位２３が物品１０Ａの厚み方向へ延びる障壁４８と股下域１５と向かい合うポケット４９とを形成している。
【００３２】
物品１０Ａは、その着用中に排泄された排泄物が表面シート１７上を拡散して後端部１２に向かって流動したとしても、排泄物の流動が障壁４８によって阻止されるので、排泄物が後端部１２から物品１０Ａの外側へ漏れてしまうことがない。物品１０Ａは、第２部位２３が障壁４８のみならずポケット４９を形成し、後端部１２に向かって流動する排泄物がポケット４９に収容されるので、後端部１２からの排泄物の漏れを確実に防ぐことができる。
【００３３】
物品１０Ａでは、第２部位２３の横方向中央部分２４にコア２０を貫通する貫通孔２５が形成されているので、横方向中央部分２４と横方向両側部分５０とにコア２０の厚み寸法に比例する段差が形成され、物品１０Ａの着用中に後胴周り域１６に着用者の体圧がかかり、第２部位２３が物品１０Ａの厚み方向へ圧縮されたとしても、第２部位２３の横方向中央部分２４が重なり合う以前にコア２０が存在する横方向両側部分５０が重なり合い、横方向両側部分５０に位置するコア２０の厚みによって横方向中央部分２４の重なりが防止される。物品１０Ａは、第２部位２３の横方向両側部分５０においてポケット４９が潰れたとしても、横方向中央部分２４においてポケット４９が潰れることはなく、横方向中央部分２４におけるポケット４９の開口状態が維持されるので、後胴周り域１６に着用者の体圧がかかったとしても、排泄物がポケット４９から漏れ出すことはなく、排泄物が後端部１２から物品１０Ａの外側へ漏れてしまうことはない。物品１０Ａは、第１部位２２と第２部位２３の横方向両側部分５０とに位置するコア２０が排泄物を吸収するので、障壁４８やポケット４９に排泄物が残存することはない。なお、股下域１５と前胴周り域１４とに排泄された排泄物は、表面シート１７を透過してそれら域１４，１５に位置するコア２０に吸収される。
【００３４】
物品１０Ａでは、股下域１５と第１部位２２とに位置するコア２０の横方向の曲げ剛性値が９．４〜２８．２ｍＮの範囲にあり、第２部位２３に位置するコア２０の横方向の曲げ剛性値が５．５〜１６．５ｍＮの範囲にある。股下域１５と第１部位２２とにおけるコア２０の曲げ剛性値が９．４ｍＮ未満では、弾性部材３６の収縮力によって股下域１５と第１部位２２とが不規則に折れ曲がる場合があり、股下域１５や第１部位２２と着用者の肌との間に隙間が生じ、股下域１５や第１部位２２に位置するコア２０に排泄物を効率よく吸収させることができない。股下域１５と第１部位２２とにおけるコア２０の曲げ剛性値が２８．２ｍＮを超過すると、股下域１５や第１部位２２の剛性が必要以上に増加し、物品１０Ａの着用感が低下する。第２部位２３に位置するコア２０の曲げ剛性値が５．５ｍＮ未満では、弾性部材３６の収縮力によって第２部位２３が不規則に折れ曲がり、第２部位２３によって障壁４８やポケット４９を形成することができない場合がある。第２部位２３に位置するコア２０の曲げ剛性値が１６．５ｍＮを超過すると、第２部位２３においてコア２０が折れ曲がり難くなり、弾性部材３６の収縮力によって第１部位２２を股下域１５の側へ引き寄せることができず、第２部位２３によって障壁４８やポケット４９を形成することができない場合がある。なお、股下域１５や第１および第２部位２２，２３に位置するコア２０の曲げ剛性値は、ガーレ法（ＪＩＳ Ｌ １０９６−０１−８.２０.１）に準拠して測定した。その測定方法は、以下のとおりである。
（１）物品１０Ａからコア２０を取り出し、第１部位２２に位置したコア２０を裁断して第１サンプルを作成し、第２部位２３に位置したコア２０を裁断して第２サンプルを作成するとともに、股下域１５に位置したコア２０を裁断して第３サンプルを作成した。それらサンプルは、縦方向の寸法と横方向の寸法とが同一である。曲げ剛性の測定には、ガーレ柔軟度試験機を使用した。
（２）第１サンプルの縦方向一端部を試験機のチャックに挟み、第１サンプルの縦方向他端部を試験機の振り子にかけ、試験機の目盛りが３〜６の間になるように補助重りを取り付けた。試験機のスイッチを入れ、第１サンプルから振り子の回転ロッドが離れる瞬間の目盛りを読み、第１剛性値を測定した。次に、第１サンプルの縦方向他端部を試験機のチャックに挟み、第１サンプルの縦方向一端部を試験機の振り子にかけ、試験機の目盛りが３〜６の間になるように補助重りを取り付けた。次に、試験機のスイッチを入れ、第１サンプルから振り子の回転ロッドが離れる瞬間の目盛りを読み、第２剛性値を測定した。測定した第１および第２剛性値の平均を第１部位２２に位置するコア２０の横方向の曲げ剛性値とした。
（３）第２サンプルの縦方向一端部を試験機のチャックに挟み、第２サンプルの縦方向他端部を試験機の振り子にかけ、試験機の目盛りが３〜６の間になるように補助重りを取り付けた。試験機のスイッチを入れ、第２サンプルから振り子の回転ロッドが離れる瞬間の目盛りを読み、第３剛性値を測定した。次に、第２サンプルの縦方向他端部を試験機のチャックに挟み、第２サンプルの縦方向一端部を試験機の振り子にかけ、試験機の目盛りが３〜６の間になるように補助重りを取り付けた。次に、試験機のスイッチを入れ、第２サンプルから振り子の回転ロッドが離れる瞬間の目盛りを読み、第４剛性値を測定する。測定した第３および第４剛性値の平均を第２部位２３に位置するコア２０の横方向の曲げ剛性値とした。
（４）第３サンプルの縦方向一端部を試験機のチャックに挟み、第３サンプルの縦方向他端部を試験機の振り子にかけ、試験機の目盛りが３〜６の間になるように補助重りを取り付けた。試験機のスイッチを入れ、第２サンプルから振り子の回転ロッドが離れる瞬間の目盛りを読み、第５剛性値を測定した。次に、第３サンプルの縦方向他端部を試験機のチャックに挟み、第３サンプルの縦方向一端部を試験機の振り子にかけ、試験機の目盛りが３〜６の間になるように補助重りを取り付けた。次に、試験機のスイッチを入れ、第２サンプルから振り子の回転ロッドが離れる瞬間の目盛りを読み、第５剛性値を測定した。測定した第４および第４剛性値の平均を股下域１５に位置するコア２０の横方向の曲げ剛性値とした。
【００３５】
測定した第１および第３サンプルの曲げ剛性値は９．４〜２８．２ｍＮ、測定した第２サンプルの曲げ剛性値は５．５〜１６．５ｍＮであった。第２サンプルは、その横方向中央部分にコア２０を貫通する貫通孔２５が形成されたものであり、貫通孔２５にコア２０が存在しないので、その曲げ剛性値が第１および第３サンプルの曲げ剛性値よりも低くなる。
【００３６】
物品１０Ａでは、弾性部材３６を含む防漏シート１９の自由部３３の９０％伸長時における伸長応力が０．０２〜０．３２Ｎの範囲にある。弾性部材３６は、防漏シート１９の自由部３３に固着されているので、その収縮力が自由部３３の剛性によって抑制される。しかし、自由部３３の伸長応力が前記範囲にあるから、弾性部材３６の収縮力が十分に作用し、弾性部材３６の収縮力によって後胴周り域１６の第１部位２２を股下域１５の側へ確実に引き寄せることができる。自由部３３の伸長応力が０．０２Ｎ未満では、弾性部材３６の収縮力が弱く、第１部位２２を股下域１５の側へ引き寄せることができず、第２部位２３によって障壁４８やポケット４９を形成することができない。自由部３３の伸長応力が０．３２Ｎを超過すると、第１部位２３が股下域１５の側に倒伏する場合があり、第２部位２３が形成するポケット４９がその口を閉じてしまう場合がある。なお、防漏シート１９の自由部３３の前記伸長応力は、以下の方法で測定した。
（１）防漏シート１９の自由部３３（弾性部材３６を含む）を物品１０Ａから切り取り、縦寸法２００〜２９０ｍｍ、横寸法１０〜２５ｍｍの伸長応力測定用サンプルを作成した。自由部の伸長応力測定には、島津製作所社製の引張り試験機を使用した。
（２）弾性部材３７の収縮によって縮んだ状態のサンプルの縦方向両端部を引張り試験機のチャックで挟み（チャックによるサンプルの挟み寸法：約１０ｍｍ、チャック間寸法：約１００ｍｍ）、１００ｍｍ／ｍｉｎの速度でサンプルを縦方向へ引っ張り、サンプルを９０％まで伸長させた後、伸長状態を解除した。再度、試験機を介して１００ｍｍ／ｍｉｎの速度でサンプルを縦方向へ引っ張り、サンプルを９０％まで伸長させ、そのときの試験機にかかる力を測定し、その測定値を防漏シート１９の自由部３３の伸長応力とした。測定したサンプルの伸長応力は、０．０２〜０．３２Ｎである。ここで、サンプルを９０％まで伸長させるとは、たとえば、サンプルの縦方向の長さが２５０ｍｍの場合、２５０ｍｍに０．９を乗じた値である２２５ｍｍまで伸ばすことである。
【００３７】
図６，７は、他の一例として示す使い捨て着用物品１０Ｂの部分破断斜視図と、表面シート１７の側から示す図６の物品１０Ｂの平面図とであり、図８，９は、図６の８−８線矢視断面図と、図６の９−９線矢視断面図とである。図６では、横方向を矢印Ｌ、縦方向を矢印Ｍで示し、厚み方向を矢印Ｎで示す。図７は、物品１０Ｂを弾性部材３６，４０，４３の収縮力に抗して縦横方向へ展開させた状態で示している。
【００３８】
物品１０Ｂは、横方向へ延びる前後端部１１，１２と、縦方向へ延びる両側部１３とを有する。前後端部１１，１２間には、前胴周り域１４および後胴周り域１６と、前後胴周り域１４，１６の間に位置する股下域１５とが画成されている。物品１０Ｂは、透液性表面シート１７および不透液性裏面シート１８と、両側部１３に位置して縦方向へ延びる一対の不透液性第１防漏シート１９と、表裏面シート１７，１８の間に介在してそれらシート１７，１８の内面に接合された吸液性コア２０とから構成されている。
【００３９】
コア２０が延びる後胴周り域１６の部位２１は、後端部１２の側に位置する第１部位２２と、股下域１５の側に位置する第２部位２３とに区分されている。第２部位２３の横方向両側部５０には、コア２０を切り欠いた横方向内方へ凹む一対のノッチ５１が形成されている。ノッチ５１では、表面シート１７と裏面シート１８とが互いに重なり合った状態でそれらシート１７，１８の内面どうしが固着されている。
【００４０】
表面シート１７は図１のそれと同一の親水性繊維不織布２６から形成され、裏面シート１８は図１のそれと同一の複合シートから形成されている。防漏シート１９は、図１のそれと同一の疎水性繊維不織布２９から形成されている。コア２０は、図１のそれと同一の混合物であり、前後胴周り域１４，１６と股下域１５とに延びている。コア２０は、横方向へ延びる両端縁３０と、縦方向へ延びる両側縁３１とを有する。
【００４１】
股下域１５と第１および第２部位２２，２３とに位置するコア２０は、その坪量と密度と厚み寸法とが同一である。第２部位２３に位置するコア２０の横方向の長さ寸法（ノッチ５１を含む）は、股下域１５と第１部位２２とに位置するコア２０の横方向のそれと同一である。コア２０は、股下域１５や第１および第２部位２２，２３における坪量と密度と厚み寸法とが同一であるにもかかわらず、第２部位２３の横方向両側部分５０にコア２０を切り欠いたノッチ５１が形成され、横方向両側部分５０にコア２０が存在しないので、第２部位２３に位置するコア２０の横方向の曲げ剛性が股下域１５と第１部位２２とに位置するコア２０の横方向の曲げ剛性よりも低い。
【００４２】
防漏シート１９は、縦方向へ延びる固定側部３２と、表面シート１７の上方へ起立性向を有して縦方向へ延びる自由部３３と、前後端部１１，１２に位置して物品１０Ｂの横方向内方へ倒伏した固定両端部３４とから形成されている。後胴周り域１６の側に位置する固定端部３４は、後端部１２のみならず、第１部位２２の横方向両側部分３５上に位置している。自由部３３の上方には、縦方向へ延びる伸縮性第１弾性部材３６が収縮可能に取り付けられている。弾性部材３６の縦方向端部３７は、第２部位２３を越えて第１部位２２の横方向両側部分３５上に達している。防漏シート１９では、弾性部材３６の収縮力によって自由部３３が縦方向へ収縮し、自由部３３が表面シート１７の上方へ起立して排泄物に対する障壁を形成している。
【００４３】
前後端部１１，１２は、コア２０の端縁３０から縦方向外方へ延びる表裏面シート１７，１８の端部３８，３９と防漏シート１９の固定両端部３４とから形成されている。前後端部１１，１２では、シート１７，１８，１９の端部３４，３８，３９が重なり合い、表裏面シート１７，１８の内面どうしが固着され、表面シート１７の外面と防漏シート１９の内面とが固着されている。後胴周り域１６の側に位置する防漏シート１９の固定端部３４は、第１部位２２の横方向両側部分３５においてその内面が表面シート１７の外面に固着されている。前後端部１１，１２には、横方向へ延びる帯状の胴周り用弾性部材４０が収縮可能に取り付けられている。
【００４４】
両側部１３は、コア２０の側縁３１から横方向外方へ延びる表裏面シート１７，１８の側部４１，４２と防漏シート１９の固定側部３２とから形成されている。両側部１３では、側部４１がコア２０の側縁３１から横方向外方へわずかに延び、側部４１からさらに横方向外方へ側部４２と側部３１とが延びている。両側部１３では、シート１７，１８，１９の側部３２，４１，４２が重なり合い、表裏面シート１７，１８の内面どうしが固着され、表裏面シート１７，１８の内外面と防漏シート１９の内面とが固着されている。両側部１３には、縦方向へ延びる複数条の脚周り用弾性部材４３が収縮可能に取り付けられている。
【００４５】
後胴周り域１６の両側部１３には、繊維不織布から形成された可撓性のテープファスナ４４が取り付けられている。テープファスナ４４の固定端部４５は、裏面シート１６の側部４２と防漏シート１９の固定側部３２との間に介在し、それらシート１８，１９の内面に固着されている。テープファスナ４４の自由端部４６の内面には、フック部材（図示せず）が取り付けられている。前胴周り域１４には、テープファスナ４４の自由端部４６を着脱可能に止着する可撓性のターゲットテープ４７が取り付けられている。ターゲットテープ４７は、プラスチックフィルムと、フィルムに取り付けられたループ部材（図示せず）とから形成されている。この物品１０Ｂを着用する手順は、図１の物品１０Ａと同一であり、その説明は省略する。
【００４６】
物品１０Ｂは、防漏シート１９に取り付けられた弾性部材３５の収縮力によって第２部位２３が部分的に折れ曲がり、第１部位２２が股下域１５の側へ引き寄せられ、第１部位２２が股下域１５よりも物品１０Ｂの厚み方向上方に位置している。物品１０Ｂでは、股下域１５と第１部位２２との間に厚み方向へ段差が生じ、第２部位２３が物品１０Ｂの厚み方向へ延びる障壁４８と股下域１５と向かい合うポケット４９とを形成している。物品１０Ｂは、その着用中に排泄された排泄物が後端部１２に向かって流動したとしても、排泄物の流動が障壁４８によって阻止されるので、排泄物が後端部１２から物品１０Ｂの外側へ漏れてしまうことがない。物品１０Ｂは、第２部位２３がポケット４９を形成し、後端部１２に向かって流動する排泄物がポケット４９に収容されるので、後端部１２からの排泄物の漏れを確実に防ぐことができる。
【００４７】
物品１０Ｂでは、第２部位２３の横方向両側部分５０にコア２０を切り欠いたノッチ５１が形成されているので、横方向中央部分２４と横方向両側部分５０とにコア２０の厚み寸法に比例する段差が形成され、物品１０Ｂの着用中に後胴周り域１６に着用者の体圧がかかり、第２部位２３が物品１０Ｂの厚み方向へ圧縮されたとしても、第２部位２３の横方向両側部分５０が重なり合う以前にコア２０が存在する横方向中央部分２４が重なり合い、横方向中央部分２４に位置するコア２０の厚みによって横方向両側部分５０の重なりが防止される。物品１０Ｂは、第２部位２３の横方向中央部分２４においてポケット４９が潰れたとしても、横方向両側部分５０においてポケット４９が潰れることはなく、横方向両側部分５０におけるポケット４９の開口状態が維持されるので、後胴周り域１６に着用者の体圧がかかったとしても、排泄物がポケット４９から漏れ出すことはなく、排泄物が後端部１２から物品１０Ｂの外側へ漏れてしまうことはない。物品１０Ｂは、第１部位２２と第２部位２２の横方向中央部分２４とに位置するコア２０が排泄物を吸収するので、障壁４８やポケット４９に排泄物が残存することはない。
【００４８】
物品１０Ｂでは、股下域１５と第１部位２２とに位置するコア２０の横方向の曲げ剛性値が９．４〜２８．２ｍＮの範囲にあり、第２部位２３に位置するコア２０の横方向の曲げ剛性値が５．５〜１６．５ｍＮの範囲にある。股下域１５と第１部位２２とに位置するコア２０の曲げ剛性値が９．４ｍＮ未満では、弾性部材３６の収縮力によって股下域１５と第１部位２２とが不規則に折れ曲がる場合があり、股下域１５や第１部位２２に位置するコア２０に排泄物を効率よく吸収させることができない。股下域１５と第１部位２２とに位置するコア２０の曲げ剛性値が２８．２ｍＮを超過すると、股下域１５や第１部位２２の剛性が必要以上に増加し、物品１０Ｂの着用感が低下する。第２部位２３に位置するコア２０の曲げ剛性値が５．５ｍＮ未満では、弾性部材３６の収縮力によって第２部位２３が不規則に折れ曲がり、第２部位２３によって障壁４８やポケット４９を形成することができない場合がある。第２部位２３に位置するコア２０の曲げ剛性値が１６．５ｍＮを超過すると、第２部位２３においてコア２０が折れ曲がり難くなり、弾性部材３６の収縮力によって第１部位２２を股下域１５の側に引き寄せることができず、第２部位２３によって障壁４８やポケット４９を形成することができない場合がある。
【００４９】
股下域１５や第１および第２部位２２，２３に位置するコア２０の曲げ剛性値は、ガーレ法（ＪＩＳ Ｌ １０９６−０１−８.２０.１）に準拠して測定した。曲げ剛性値の測定方法は、図１の物品１０Ａのそれと同一である。なお、第２部位２３に位置するコア２０から作成した第２サンプルは、コア２０を切り欠いた一対のノッチ５１が形成されたものであり、ノッチ５１にコア２０が存在しないので、その曲げ剛性値が第１および第３サンプルの曲げ剛性値よりも低くなる。
【００５０】
物品１０Ｂでは、弾性部材３６を含む防漏シート１９の自由部３３の９０％伸長時における伸長応力が０．０２〜０．３２Ｎの範囲にある。自由部３３の伸長応力が０．０２Ｎ未満では、弾性部材３６の収縮力が弱く、第１部位２３を股下域１５の側へ引き寄せることができず、後胴周り域１６の第２部位２３によって障壁４８やポケット４９を形成することができない。自由部３３の伸長応力が０．３２Ｎを超過すると、第１部位２２が股下域１５の側に倒伏する場合があり、第２部位２３が形成するポケット４９がその口を閉じてしまう場合がある。なお、自由部３３の伸長応力の測定方法は、図１の物品１０Ａのそれと同一である。
【００５１】
図１０，１１は、他の一例として示す使い捨て着用物品１０Ｃの部分破断斜視図と、表面シート１７の側から示す図１０の物品１０Ｃの平面図とであり、図１２，１３は、図１０の１２−１２線矢視断面図と、図１０の１３−１３線矢視断面図とである。図１０では、横方向を矢印Ｌ、縦方向を矢印Ｍで示し、厚み方向を矢印Ｎで示す。図１１は、物品１０Ｃを弾性部材３６，４０，４３，５６の収縮力に抗して縦横方向へ展開させた状態で示している。
【００５２】
物品１０Ｃは、横方向へ延びる前後端部１１，１２と、縦方向へ延びる両側部１３とを有する。前後端部１１，１２間には、前胴周り域１４および後胴周り域１６と、前後胴周り域１４，１６の間に位置する股下域１５とが画成されている。物品１０Ｃは、透液性表面シート１７および不透液性裏面シート１８と、両側部１３に位置して縦方向へ延びる一対の不透液性第１防漏シート１９と、後胴周り域１６に位置して横方向へ延びる不透液性第２防漏シート５２と、表裏面シート１７，１８の間に介在してそれらシート１７，１８の内面に接合された吸液性コア２０とから構成されている。
【００５３】
コア２０が延びる後胴周り域１６の部位２１は、後端部１２の側に位置する第１部位２２と、股下域１５の側に位置する第２部位２３とに区分されている。第２部位２３の横方向中央部２４には、コア２０をその厚み方向へ貫通する貫通孔２５が形成されている。貫通孔２５では、表面シート１７と裏面シート１８とが互いに重なり合った状態でそれらシート１７，１８の内面どうしが固着されている。
【００５４】
表面シート１７は図１のそれと同一の親水性繊維不織布２６から形成され、裏面シート１８は図１のそれと同一の複合シートから形成されている。第１および第２防漏シート１９，５２は、図１のそれと同一の疎水性繊維不織布２９から形成されている。コア２０は、図１のそれと同一の混合物であり、前後胴周り域１４，１６と股下域１５とに延びている。コア２０は、横方向へ延びる両端縁３０と、縦方向へ延びる両側縁３１とを有する。
【００５５】
股下域１５と第１および第２部位２２，２３とに位置するコア２０は、その坪量と密度と厚み寸法とが同一である。第２部位２３に位置するコア２０の横方向の長さ寸法（貫通孔２５を含む）は、股下域１５と第１部位２２とに位置するコア２０の横方向のそれと同一である。コア２０は、股下域１５や第１および第２部位２２，２３における坪量と密度と厚み寸法とが同一であるにもかかわらず、第２部位２３の横方向中央部分２４にコア２０を貫通する貫通孔２５が形成され、横方向中央部分２４にコア２０が存在しないので、第２部位２３に位置するコア２０の横方向の曲げ剛性が股下域１５と第１部位２２とに位置するコア２０の横方向の曲げ剛性よりも低い。
【００５６】
第１防漏シート１９は、縦方向へ延びる固定側部３２と、表面シート１７の上方へ起立性向を有して縦方向へ延びる自由部３３と、前後端部１１，１２に位置して物品１０Ｂの横方向内方へ倒伏した固定両端部３４とから形成されている。後胴周り域１６の側に位置する固定端部３４は、後端部１２のみならず、第１部位２２の横方向両側部分３５上に位置している。自由部３３の上方には、縦方向へ延びる伸縮性第１弾性部材３６が収縮可能に取り付けられている。弾性部材３６の縦方向端部３７は、第２部位２３を越えて第１部位２２の横方向両側部分３５上に達している。防漏シート１９では、弾性部材３６の収縮力によって自由部３３が縦方向へ収縮し、自由部３３が表面シート１７の上方へ起立して排泄物に対する障壁を形成している。
【００５７】
第２防漏シート５２は、第１防漏シート１９の間に配置されている。防漏シート５２は、第１部位２２に位置して横方向へ延びる固定端部５３と、固定端部５３と並行して横方向へ延びていて第１部位２２から第２部位２３に達する自由部５４と、物品１０Ｃの両側部１３の側に位置して縦方向内方へ倒伏した固定両側部５５とから形成されている。自由部５４の上方には、横方向へ延びる伸縮性第２弾性部材５６が収縮可能に取り付けられている。弾性部材５６は、横方向へ所定の倍率に伸長された状態で自由部５４に固着されている。自由部５４の横方向両側部分５７は、第１防漏シート１９の自由部３３に固着されている。固定側部５５は、表面シート１７の端部３８と第１防漏シート１９の固定端部３４との間に介在し、それらシート１７，１９の端部３４，３８内外面に固着されている。防漏シート５２の自由部５４は、防漏シート１９の自由部３３の起立にともなって表面シート１７の上方へ浮き上がり、表面シート１７から離間している。自由部５４は、排泄物の縦方向への流動を阻止する障壁を形成する。
【００５８】
前後端部１１，１２は、コア２０の端縁３０から縦方向外方へ延びる表裏面シート１７，１８の端部３８，３９と防漏シート１９の固定両端部３４とから形成されている。前後端部１１，１２では、シート１７，１８，１９の端部３４，３８，３９が重なり合い、表裏面シート１７，１８の内面どうしが固着され、表面シート１７の外面と防漏シート１９の内面とが固着されている。後胴周り域１６の側に位置する防漏シート１９の固定端部３４は、第１部位２２の横方向両側部分３５においてその内面が表面シート１７の外面に固着されている。前後端部１１，１２には、横方向へ延びる帯状の胴周り用弾性部材４０が収縮可能に取り付けられている。
【００５９】
両側部１３は、コア２０の側縁３１から横方向外方へ延びる表裏面シート１７，１８の側部４１，４２と防漏シート１９の固定側部３２とから形成されている。両側部１３では、側部４１がコア２０の側縁３１から横方向外方へわずかに延び、側部４１からさらに横方向外方へ側部４２と側部３１とが延びている。両側部１３では、シート１７，１８，１９の側部３２，４１，４２が重なり合い、表裏面シート１７，１８の内面どうしが固着され、表裏面シート１７，１８の内外面と防漏シート１９の内面とが固着されている。両側部１３には、縦方向へ延びる複数条の脚周り用弾性部材４３が収縮可能に取り付けられている。
【００６０】
後胴周り域１６の両側部１３には、繊維不織布から形成された可撓性のテープファスナ４４が取り付けられている。テープファスナ４４の固定端部４５は、裏面シート１６の側部４２と防漏シート１９の固定側部３２との間に介在し、それらシート１８，１９の内面に固着されている。テープファスナ４４の自由端部４６の内面には、フック部材（図示せず）が取り付けられている。前胴周り域１４には、テープファスナ４４の自由端部４６を着脱可能に止着する可撓性のターゲットテープ４７が取り付けられている。ターゲットテープ４７は、プラスチックフィルムと、フィルムに取り付けられたループ部材（図示せず）とから形成されている。この物品１０Ｃを着用する手順は、図１の物品１０Ａと同一であり、その説明は省略する。
【００６１】
物品１０Ｃは、防漏シート１９に取り付けられた弾性部材３５の収縮力によって第２部位２３が部分的に折れ曲がり、第１部位２２が股下域１５の側へ引き寄せられ、第１部位２２が股下域１５よりも物品１０Ｃの厚み方向上方に位置している。物品１０Ｃでは、股下域１５と第１部位２２との間に厚み方向へ段差が生じ、第２部位２３が物品１０Ｃの厚み方向へ延びる障壁４８と股下域１５と向かい合うポケット４９とを形成している。物品１０Ｃは、その着用中に排泄された排泄物が後端部１２に向かって流動したとしても、排泄物の流動が障壁４８によって阻止されるので、排泄物が後端部１２から物品１０Ｃの外側へ漏れてしまうことがない。物品１０Ｃは、第２部位２３がポケット４９を形成し、後端部１２に向かって流動する排泄物がポケット４９に収容されるので、後端部１２からの排泄物の漏れを確実に防ぐことができる。
【００６２】
物品１０Ｃでは、第２部位２３の横方向中央部分２４にコア２０を貫通する貫通孔２５が形成されているので、横方向中央部分２４と横方向両側部分５０とにコア２０の厚み寸法に比例する段差が形成され、物品１０Ｃの着用中に後胴周り域１６に着用者の体圧がかかり、第２部位２３が物品１０Ｃの厚み方向へ圧縮されたとしても、第２部位２３の横方向中央部分２４が重なり合う以前にコア２０が存在する横方向両側部分５０が重なり合い、横方向両側部分５０に位置するコア２０の厚みによって横方向中央部分２４の重なりが防止される。物品１０Ｃは、第２部位２３の横方向両側部分５０においてポケット４９が潰れたとしても、横方向中央部分２４においてポケット４９が潰れることはなく、横方向中央部分２４におけるポケット４９の開口状態が維持されるので、後胴周り域１６に着用者の体圧がかかったとしても、排泄物がポケット４９から漏れ出すことはなく、排泄物が後端部１２から物品１０Ｃの外側へ漏れてしまうことはない。物品１０Ｃは、第１部位２２と第２部位２３の横方向両側部分５０とに位置するコア２０が排泄物を吸収するので、障壁４８やポケット４９に排泄物が残存することはない。
【００６３】
物品１０Ｃでは、第２防漏シート５２の自由部５４が排泄物に対する障壁を形成しているので、物品１０Ｃの着用中に排泄された排泄物が障壁４８を乗り越えて第１部位２２に達したとしても、排泄物の流動が防漏シート５２の自由部５４によって阻止される。物品１０Ｃは、第２防漏シート５２の自由部５４の横方向両側部分５７が第１防漏シート１９の自由部３３に固着され、自由部３３の起立にともなって自由部５４が表面シート１７の上方へ浮き上がっているので、第２防漏シート５２の自由部５４が障壁として十分に機能し、後端部１２からの排泄物の漏れを確実に防ぐことができる。
【００６４】
物品１０Ｃでは、股下域１５と第１部位２２とに位置するコア２０の横方向の曲げ剛性値が９．４〜２８．２ｍＮの範囲にあり、第２部位２３に位置するコア２０の横方向の曲げ剛性値が５．５〜１６．５ｍＮの範囲にある。股下域１５と第１部位２２とに位置するコア２０の曲げ剛性値が９．４ｍＮ未満では、弾性部材３６の収縮力によって股下域１５と第１部位２２とが不規則に折れ曲がる場合があり、股下域１５や第１部位２２に位置するコア２０に排泄物を効率よく吸収させることができない。股下域１５と第１部位２２とに位置するコア２０の曲げ剛性値が２８．２ｍＮを超過すると、股下域１５や第１部位２２の剛性が必要以上に増加し、物品１０Ｃの着用感が低下する。第２部位２３に位置するコア２０の曲げ剛性値が５．５ｍＮ未満では、弾性部材３６の収縮力によって第２部位２３が不規則に折れ曲がり、第２部位２３によって障壁４８やポケット４９を形成することができない場合がある。第２部位２３に位置するコア２０の曲げ剛性値が１６．５ｍＮを超過すると、第２部位２３においてコア２０が折れ曲がり難くなり、弾性部材３６の収縮力によって第１部位２２を股下域１５の側に引き寄せることができず、第２部位２３によって障壁４８やポケット４９を形成することができない場合がある。股下域１５や第１および第２部位２２，２３に位置するコア２０の曲げ剛性値は、ガーレ法（ＪＩＳ Ｌ １０９６−０１−８.２０.１）に準拠して測定した。曲げ剛性値の測定方法は、図１の物品１０Ｃのそれと同一である。
【００６５】
物品１０Ｃでは、弾性部材３６を含む防漏シート１９の自由部３３の９０％伸長時における伸長応力が０．０２〜０．３２Ｎの範囲にある。自由部３３の伸長応力が０．０２Ｎ未満では、弾性部材３６の収縮力が弱く、第１部位２３を股下域１５の側へ引き寄せることができず、後胴周り域１６の第２部位２３によって障壁４８やポケット４９を形成することができない。自由部３３の伸長応力が０．３２Ｎを超過すると、第１部位２２が股下域１５の側に倒伏する場合があり、第２部位２３が形成するポケット４９がその口を閉じてしまう場合がある。なお、自由部３３の伸長応力の測定方法は、図１の物品１０Ｃのそれと同一である。
【００６６】
それら図示の物品１０Ａ，１０Ｂ，１０Ｃは、第２部位２３が物品１０Ａ，１０Ｂ，１０Ｃの厚み方向へ延びる障壁４８と股下域１５と向かい合うポケット４９とを形成しているが、弾性部材３６の伸長応力によっては第２部位２３が障壁４８とポケット４９とのうちのいずれか一方を形成する場合がある。たとえば、弾性部材３６の収縮力によって第１部位２２が股下域１５の側へわずかに引き寄せられた場合は、第２部位２３が後端部１２の側へ傾斜し、第２部位２３が障壁４８のみを形成する。また、弾性部材３６の収縮力によって第１部位２２が第２部位を越えて股下域１５にまで引き寄せられた場合は、第２部位２３が股下域１５の側へ傾斜し、第２部位２３がポケット４９のみを形成する。
【００６７】
表面シート１７には、親水性繊維不織布の他に、多数の開孔を有する疎水性繊維不織布、微細な多数の開孔を有するプラスチックフィルムのいずれかを使用することもできる。裏面シート１８には、疎水性繊維不織布、通気不透液性プラスチックフィルム、２枚以上の疎水性繊維不織布をラミネートした複合不織布のいずれかを使用することもできる。裏面シート１８や防漏シート１９，５２には、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。
【００６８】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。
【００６９】
表裏面シート１７，１８どうしの固着、シート１７，１８に対する防漏シート１９，５２の固着、シート１７，１８に対するコア２０の接合、シート１７，１８，１９，５２に対する弾性部材３７，４１，４４，５６の固着には、接着剤、または、ヒートシールやソニックシール等の熱による溶着手段を利用することができる。接着剤には、ホットメルト型接着剤やアクリル系接着剤、ゴム系接着剤を使用することができる。
【００７０】
接着剤は、表面シート１７や裏面シート１８、防漏シート１９，５２にスパイラル状や波状、ジグザグ状、ドット状、縞状のうちのいずれかの態様で塗布されていることが好ましい。接着剤をそれらの態様でシート１７，１８，１９，５２に塗布すると、それらシート１７，１８，１９，５２に接着剤が塗布された塗布域と接着剤が塗布されていない非塗布域とが形成され、それらシート１７，１８，１９，５２どうしが断続的に固着され、コア２０がシート１７，１８に断続的に接合されるとともに、弾性部材３７，４１，４４，５６がシート１７，１８，１９，５２に断続的に固着される。
【図面の簡単な説明】
【００７１】
【図１】一例として示す使い捨て着用物品の部分破断斜視図。
【図２】表面シートの側から示す図１の物品の平面図。
【図３】図１の３−３線矢視断面図。
【図４】図１の４−４線矢視断面図。
【図５】図１の５−５線端面図。
【図６】他の一例として示す使い捨て着用物品の部分破断斜視図。
【図７】表面シートの側から示す図６の物品の平面図。
【図８】図６の８−８線矢視断面図。
【図９】図６の９−９線矢視断面図。
【図１０】他の一例として示す使い捨て着用物品１０Ｃの部分破断斜視図。
【図１１】表面シートの側から示す図１０の物品の平面図。
【図１２】図１０の１２−１２線矢視断面図。
【図１３】図１０の１３−１３線矢視断面図。
【符号の説明】
【００７２】
１０Ａ    使い捨て着用物品
１０Ｂ    使い捨て着用物品
１０Ｃ    使い捨て着用物品
１１    前端部
１２    後端部
１３    両側部
１４    前胴周り域
１５    股下域
１６    後胴周り域
１７    透液性表面シート
１８    不透液性裏面シート
１９    不透液性第１防漏シート
２０    吸液性コア
２１    部位
２２    第１部位
２３    第２部位
２４    横方向中央部分
２５    貫通孔
３２    固定側部
３３    自由部
３４    固定両端部
３５    横方向両側部分
３６    伸縮性第１弾性部材
３７    縦方向端部
４８    障壁
４９    ポケット
５０    横方向両側部分
５１    ノッチ
５２    不透液性第２防漏シート
５３    固定端部
５４    自由部
５５    固定両側部
５６    伸縮性第２弾性部材
５７    横方向両側部分
【図１】
2005161006.tif 000003
【図２】
2005161006.tif 000004
【図３】
2005161006.tif 000005
【図４】
2005161006.tif 000006
【図５】
2005161006.tif 000007
【図６】
2005161006.tif 000008
【図７】
2005161006.tif 000009
【図８】
2005161006.tif 000010
【図９】
2005161006.tif 000011
【図１０】
2005161006.tif 000012
【図１１】
2005161006.tif 000013
【図１２】
2005161006.tif 000014
【図１３】
2005161006.tif 000015